【手続補正書】
【提出日】平成20年1月30日(2008.1.30)
【手続補正１】
【補正対象書類名】特許請求の範囲
【補正対象項目名】全文
【補正方法】変更
【補正の内容】
【特許請求の範囲】
【請求項１】
感知された被験者の呼吸を用いることによって前記被験者における臨床的発症の開始を予測する方法であって、
前記感知された呼吸に応答して前記被験者の少なくとも１つの呼吸パターンを決定するステップと、
前記呼吸パターンを基準呼吸パターンと比較するステップと、
前記比較に少なくとも部分的に応答して前記発症の開始を予測するステップと、
を含んでおり、
前記臨床的発症は、喘息、慢性閉塞性肺疾患（ＣＯＰＤ）、嚢胞性繊維症（ＣＦ）、ＣＨＦ、糖尿病及び癲癇から構成されるリストから選択される条件と関連付けられた発症を含むことを特徴とする方法。
【請求項２】
請求項１記載の方法において、
前記呼吸パターンは前記被験者の呼吸速度パターンを含み、
前記基準呼吸パターンは基準呼吸速度パターンを含み、
前記呼吸パターンを前記基準呼吸パターンと比較するステップは前記呼吸速度パターンを基準呼吸速度パターンと比較するステップを含むことを特徴とする方法。
【請求項３】
請求項１記載の方法において、
前記呼吸パターンと前記基準呼吸パターンとはそれぞれの低速傾向呼吸速度パターンを含み、前記呼吸パターンを前記基準呼吸パターンと比較するステップは前記低速傾向呼吸速度パターンを前記基準低速傾向呼吸速度パターンと比較するステップを含むことを特徴とする方法。
【請求項４】
請求項１ないし請求項３のいずれかの請求項に記載の方法において、前記呼吸の感知には、前記被験者の呼吸に関連する身体運動データの取得が含まれることを特徴とする方法。
【請求項５】
請求項４記載の方法において、前記身体運動データを取得するステップは、前記被験者又は前記被験者が装着している衣服に接触することなく前記身体運動データを取得するステップを含むことを特徴とする方法。
【請求項６】
請求項１ないし請求項５のいずれかの請求項に記載の方法において、前記呼吸の感知には、前記感知の間に被験者の遵守を必要とすることのない被験者の呼吸の感知を含むことを特徴とする方法。
【請求項７】
感知された被験者の呼吸を用いることによって前記被験者における臨床的発症の開始を予測する方法であって、
臨床的発症の間の被験者の呼吸を感知するステップと、
前記感知された呼吸に応答して前記被験者の少なくとも１つの呼吸パターンを決定するステップと、
前記呼吸パターンを基準呼吸パターンと比較するステップと、
前記比較に少なくとも部分的に応答して前記発症の進行を評価するステップと、
を含んでおり、
前記臨床的発症は、喘息、慢性閉塞性肺疾患（ＣＯＰＤ）、嚢胞性繊維症（ＣＦ）、ＣＨＦ、糖尿病及び癲癇から構成されるリストから選択される条件と関連付けられた発症を含むことを特徴とする方法。
【請求項８】
請求項７記載の方法において、
前記呼吸パターンは前記被験者の呼吸速度パターンを含み、
前記基準呼吸パターンは基準呼吸速度パターンを含み、
前記呼吸パターンを前記基準呼吸パターンと比較するステップは前記呼吸速度パターンを基準呼吸速度パターンと比較するステップを含むことを特徴とする方法。
【請求項９】
請求項７記載の方法において、
前記呼吸パターンと前記基準呼吸パターンとはそれぞれの低速傾向呼吸速度パターンを含み、前記呼吸パターンを前記基準呼吸パターンと比較するステップは前記低速傾向呼吸速度パターンを前記基準低速傾向呼吸速度パターンと比較するステップを含むことを特徴とする方法。
【請求項１０】
請求項７ないし請求項９のいずれかの請求項に記載の方法において、前記呼吸を感知するステップは、前記被験者の呼吸に関連する身体運動データを取得するステップを含むことを特徴とする方法。
【請求項１１】
請求項１０記載の方法において、前記身体運動データを取得するステップは、前記被験者又は前記被験者が装着している衣服に接触することなく前記身体運動データを取得するステップを含むことを特徴とする方法。
【請求項１２】
請求項７ないし請求項１１のいずれかの請求項に記載の方法において、被験者の前記呼吸の感知は、前記感知の間に被験者の遵守を必要とすることなく被験者の呼吸を感知するステップを含むことを特徴とする方法。
【請求項１３】
臨床的発症の開始を予測する装置であって、
被験者の呼吸を感知して感知された呼吸に応答して信号を発生する呼吸センサと、
前記信号を受け取り、前記信号に応答して前記被験者の少なくとも１つの呼吸パターンを決定し、前記呼吸パターンを基準呼吸パターンと比較して、前記比較に少なくとも部分的に応答して前記発症の開始を予測する制御ユニットと、
を含むんでおり、前記臨床的発症は、喘息、慢性閉塞性肺疾患（ＣＯＰＤ）、嚢胞性繊維症（ＣＦ）、ＣＨＦ、糖尿病及び癲癇から構成されるリストから選択される状態と関連付けられた発症を含むことを特徴とする装置。
【請求項１４】
請求項１３記載の装置において、
前記呼吸パターンは前記被験者の呼吸速度パターンを含み、
前記基準呼吸パターンは基準呼吸速度パターンを含み、
前記制御ユニットは、前記呼吸速度パターンを前記基準呼吸速度パターンと比較することを特徴とする装置。
【請求項１５】
請求項１３記載の装置において、前記呼吸パターンと前記基準呼吸パターンとはそれぞれの低速傾向呼吸速度パターンを含み、前記制御ユニットは、前記低速傾向呼吸速度パターンを前記基準低速傾向呼吸速度パターンと比較することを特徴とする装置。
【請求項１６】
請求項１３ないし１５のいずれかの請求項に記載の装置において、前記呼吸センサは、前記呼吸を示す前記被験者の呼吸に関連する身体運動を感知することを特徴とする装置。
【請求項１７】
請求項１６記載の装置において、前記呼吸センサは、前記被験者又は前記被験者が装着している衣服に接触することなく前記身体運動データを取得することを特徴とする装置。
【請求項１８】
請求項１３ないし請求項１７のいずれかの請求項に記載の装置において、前記呼吸センサは、前記感知の間に被験者の遵守を必要とすることなく被験者の呼吸を感知することを特徴とする装置。
【請求項１９】
臨床的発症の間の被験者の呼吸を感知して感知された呼吸に応答して信号を発生する呼吸センサと、
前記信号を受け取り、前記信号に応答して前記被験者の少なくとも１つの呼吸パターンを決定し、前記呼吸パターンを基準呼吸パターンと比較して、前記比較に少なくとも部分的に応答して前記発症の進行を評価する制御ユニットと、
を含んでおり、前記臨床的発症は、喘息、慢性閉塞性肺疾患（ＣＯＰＤ）、嚢胞性繊維症（ＣＦ）、ＣＨＦ、糖尿病及び癲癇から構成されるリストから選択される状態と関連付けられた発症を含むことを特徴とする装置。
【請求項２０】
請求項１９記載の装置において、
前記呼吸パターンは前記被験者の呼吸速度パターンを含み、
前記基準呼吸パターンは基準呼吸速度パターンを含み、
前記制御ユニットは、前記呼吸速度パターンを前記基準呼吸速度パターンと比較することを特徴とする装置。
【請求項２１】
請求項１９記載の装置において、前記呼吸パターンと前記基準呼吸パターンとはそれぞれの低速傾向呼吸速度パターンを含み、前記制御ユニットは、前記低速傾向呼吸速度パターンを前記基準低速傾向呼吸速度パターンと比較することを特徴とする装置。
【請求項２２】
請求項１９ないし２１のいずれかの請求項に記載の装置において、前記呼吸センサは、前記呼吸を示す前記被験者の呼吸に関連する身体運動を感知することを特徴とする装置。
【請求項２３】
請求項２２記載の装置において、前記呼吸センサは、前記被験者又は前記被験者が装着している衣服に接触することなく前記身体運動データを取得することを特徴とする装置。
【請求項２４】
請求項１９ないし請求項２３のいずれかの請求項に記載の装置において、前記呼吸センサは、前記感知の間に被験者の遵守を必要とすることなく被験者の呼吸を感知することを特徴とする装置。